【手続補正書】
【提出日】令和3年8月27日(2021.8.27)
【手続補正１】
【補正対象書類名】明細書
【補正対象項目名】全文
【補正方法】変更
【補正の内容】
【発明の詳細な説明】
【発明の名称】段ボール製函装置、製函方法及び製函処理方法
【技術分野】
【０００１】
本発明は、段ボール製函装置、製函方法及び製函処理方法に関する。
【背景技術】
【０００２】
近年、通信販売などが隆盛しており、これに伴って段ボールの使用量も多くなっている。また、段ボールサイズについても、個人消費の高まりに伴って、小さいサイズのものも使用されるようになっている。
【０００３】
小サイズ段ボールの場合、製函時の箱の姿勢の制御が大きいサイズの段ボールと比較して難しくなる。また、粘着テープによる封箱（封緘）制御も難しくなる。
【０００４】
例えば良好な底組みに関するものとしては、特許文献１のものを挙げることができる。
【先行技術文献】
【特許文献】
【０００５】
【特許文献１】特開２０１９−８９２７０号公報
【発明の概要】
【発明が解決しようとする課題】
【０００６】
本発明の主たる課題は、小サイズ段ボール箱の製函に適した段ボール製函装置、製函方法及び製函処理方を提供することにある。
【課題を解決するための手段】
【０００７】
本発明の段ボール製函装置は、
上下が開口となる段ボール箱における折り畳み原箱を、上下に向けかつ複数枚重ねた状態で保持するストッカーと、
前記原箱の重ね方向と実質的に直交する搬送方向の上流側に設けられた展開手段と、
搬送方向の上流部において展開された箱の下部を折り込む折り込み手段と、
搬送方向の上流側から下流側に箱を送り込む送り手段と、
前記送り手段により送られた箱の両側面をそれぞれ押さえながら下流側に搬送する搬送ベルト手段と、
前記搬送ベルト手段による搬送領域に箱の底部に対して粘着テープを貼着する貼着手段と、
を備えたことを特徴とする。
【０００８】
また、本発明の段ボール製函装置は、
上下が開口となる段ボール箱における折り畳み原箱を、上下に向けかつ複数枚重ねた状態で保持するストッカーと、
前記原箱の重ね方向と実質的に直交する搬送方向の上流側に設けられ、前記原箱の片側面を、前記ストッカー側の第１側から、離間する第２側へ移動させて上下に開口が形成されるように展開する展開手段と、
搬送方向の上流部において展開された開口箱の下部を折り込む折り込み手段と、
搬送方向の上流側から下流側に箱を送り込む送り手段と、
前記送り手段により送られた開口箱の両側面をそれぞれ押さえながら下流側に搬送する搬送ベルト手段と、
前記搬送ベルト手段による搬送領域に箱の底部に対して粘着テープを貼着する貼着手段と、
を備え、
前記原箱は、箱高さの上方面又は下方面の少なくとも一方において、前後の内フラップ相当部と左右の外フラップ相当部とが一体となったものであり、
前記展開手段は、前記原箱の外フラップ相当部を、前記片側面として吸着して第１側と第２側との間で往復動する空気吸着パッドを有している、
ことを特徴とする。
【０００９】
本発明の段ボール製函方法は、上下が開口となる段ボール箱における折り畳み原箱を、上下に向けかつ複数枚重ねた状態でストッカーにより保持する工程、
前記原箱の重ね方向と実質的に直交する搬送方向の上流側に設けられ、前記原箱の片側面を、前記ストッカー側の第１側から、離間する第２側へ移動させて上下に開口が形成されるように展開手段により展開する工程、
搬送方向の上流部において展開された開口箱の下部を折り込み手段により折り込む工程、
搬送方向の上流側から下流側に箱を送り手段により送り込む工程、
前記送り手段により送られた開口箱の両側面をそれぞれ押さえながら下流側に搬送ベルト手段により搬送する工程、
前記搬送ベルト手段による搬送領域に箱の底部に対して粘着テープを貼着手段により貼着する工程、
を有することを特徴とする。
【００１０】
本発明の段ボール製函処理方法は、
上下が開口となる段ボール箱における折り畳み原箱を、上下に向けかつ複数枚重ねた状態でストッカーにより保持する工程、
前記原箱の重ね方向と実質的に直交する搬送方向の上流側に設けられ、前記原箱の片側面を、前記ストッカー側の第１側から、離間する第２側へ移動させて上下に開口が形成されるように展開手段により展開する工程、
搬送方向の上流部において展開された開口箱の下部を折り込み手段により折り込む工程、
搬送方向の上流側から下流側に箱を送り手段により送り込む工程、
前記送り手段により送られた開口箱の両側面をそれぞれ押さえながら下流側に搬送ベルト手段により搬送する工程、
前記搬送ベルト手段による搬送領域に箱の底部に対して粘着テープを貼着手段により貼着する工程、
製函された段ボール箱内に収納物を収納する工程、
収納物を収納した段ボール箱の上面を粘着テープで封止する工程、
段ボール箱に宛名ラベルを貼着する工程、
前記宛名ラベルの情報を読み取る読み取り工程、
をこの順で有することを特徴とする。
【発明の効果】
【００１１】
以上の本発明によれば、小サイズ段ボール箱の製函に適した製函装置及び製函方法を提供することができる。
【図面の簡単な説明】
【００１２】
【図１】製函装置例の概要平面図である。
【図２】製函における開口過程の斜視図である。
【図３】下フラップの前処理用斜視図である。
【図４】開口箱の斜視図である。
【図５】下フラップの折り込み処理用斜視図である。製函装置例の概要平面図である。
【図６】下フラップの押さえ状態説明図である。
【図７】製函装置例の要部概要正面図である。
【図８】搬送ベルトの配置形態の正面図である。
【図９】開口箱の下フラップ不整状態の斜視図である。
【図１０】段ボール薄箱例の展開図である。
【図１１】下フラップ封緘した段ボール薄箱の斜視図である。
【図１２】上フラップについて封緘する前段階の斜視図である。
【図１３】段ボール薄箱の封緘状態（貼着テープは図示せず）斜視図である。
【図１４】対象段ボール薄箱の寸法に関する説明用斜視図である。
【図１５】段ボール製函処理方法の説明用概要平面図である。
【発明を実施するための形態】
【００１３】
以下本発明の実施の形態を説明する。
【００１４】
実施の形態に示す製函装置は、高さが小さい段ボール薄箱に適したものであり、上下においてフラップが折り畳まれる折り畳み段ボール箱（以下に「フラップ分離型段ボール箱」ともいう。）のほか、後に説明する、フラップを有せず上下蓋が折り畳まれる、例えば実用新案登録第３１３９５６７号の発展例としての段ボール箱（以下に「連結フラップ型段ボール箱」ともいう。）の製函にも適用できるものである。
したがって、本発明の製函装置は、「フラップ分離型段ボール箱」及び「連結フラップ型段ボール箱」の一方の専用機であるほか、兼用機であってもよい。
【００１５】
実施の形態の段ボール製函装置の概要は、図１及び図７に典型的に図示されている。
製函装置は、上下が開口となる段ボール箱における折り畳み原箱１０を、上下に向けかつ複数枚重ねた状態で保持するストッカー１を有する。
このストッカー１は、公知の構造のものをそのまま利用できる。
図１の符号２は製函本体部、３は箱の排出ガイドである。
【００１６】
原箱１０の重ね方向Ｙと実質的に直交する搬送方向Ｘの上流側に展開手段２０が設けられている。
【００１７】
さらに、搬送方向Ｘの上流部において展開された箱Ｂの下部を折り込む折り込み手段３０が設けられ、搬送方向Ｘの上流側から下流側に箱Ｂを送り込む送り手段４０が設けられている。
【００１８】
送り手段４０により送られた箱Ｂの両側面をそれぞれ押さえながら下流側に搬送する搬送ベルト手段５０が設けられ、搬送ベルト手段５０による搬送領域に箱Ｂの底部に対して粘着テープを貼着する貼着手段６０が設けられている。
【００１９】
続いて、具体例について説明する。
展開手段２０は、前進し原箱１０の片側面を吸着した後に後退するもので、吸着する第１側と後退する第２側との間で往復動する適宜数の空気吸着パッド２１を有する。吸着した原箱１０の片側面を規制して立面状態を保持するために、保持板２２が設けられるのが望ましい。往復動には適宜の運動機構を使用でき、シリンダのほか、モータ、リニアアクチュエータなどを使用できる。
【００２０】
搬送方向Ｘの上流部において展開された箱Ｂの下部を折り込む、例えばフラップを折り込む折り込み手段３０としては、公知の折り込み手段を利用できる。
実施の形態の折り込み手段３０は、展開手段２０によって、図３のように展開されるものの、開口が直方形にならず、角度αで示すように、平行四辺形になりがちであるために、図４に示すフラップ跳ね上げバー３１を有し、このフラップ跳ね上げバー３１は、図４のように、下方から上昇し側部の外フラップを跳ね上げて、続く折り込みが確実に行われるように前処理をする。
【００２１】
フラップ跳ね上げバー３１による前処理が終了した時点で、折り込みロール３２による起き上がりによって側部の外フラップのそれぞれが折り込まれる。
このとき、図５においても示すように、角度αで平行四辺形になりがちであるために、これを修正するように、前方から押さえアーム３３が起き上がり、その先端の球体３３ａにより内フラップ前面を押し当てる。これにより、又は後方からの次述する送り手段４０による送りも手伝って、直方形筒箱Ｂとなり、折り込みロール３２による各外フラップの折り込まれが確実に行われる。
折り込みロール３２は適宜アーム（図示せず）に回転自在に保持し、そのアームを起伏運動するように構成できる。
折り込みロール３２及び押さえアーム３３の起伏の運動機構には、シリンダのほか、モータ、リニアアクチュエータなどを使用できる。
【００２２】
搬送方向Ｘの上流側から下流側に箱を送り込む送り手段４０は、公知の送り手段を利用できる。
実施の形態の送り手段４０は、展開手段２０による箱Ｂの展開が完了した時点で、後退して待機している状態から、搬送方向Ｘに沿って前進し、展開された箱の後部から前方に送る。
送りのために、送り板４１を有する。さらに箱Ｂの後面を保持し、展開手段２０との連係で箱の直角を保持するために、適宜数の空気吸着パッド４２を設けるのが望ましい。
送り板４１、吸着パッド４２の往復動には適宜の運動機構を使用でき、シリンダのほか、モータ、リニアアクチュエータなどを使用できる。
【００２３】
送り手段４０により送られた箱Ｂは、送り手段４０によって、搬送ベルト手段５０，５０間に送り込まれる。
搬送ベルト手段５０は、公知の搬送ベルト手段を利用できる。実施の形態の搬送ベルト手段５０は、適宜数の搬送ローラ５１に巻き掛けられたものである。搬送ベルト５２は、図８に示すように、搬送方向Ｘ下流に向かって角度θの下り勾配で設けられている。
【００２４】
搬送ベルト手段５０，５０によって箱Ｂの両側面がそれぞれ押さえながら下流側に搬送される。この搬送ベルト手段５０による搬送領域の下方には、箱Ｂの底部に対して粘着テープ６１を貼着する貼着手段６０が設けられている。
貼着手段６０としては公知のものを利用できる。
【００２５】
搬送ベルト５２は、搬送方向Ｘ下流に向かって角度θの下り勾配（角度θは２〜１０度が望ましい。）で設けられていることで、搬送される箱Ｂは順次下方へと押し下げられるようになるために、貼着手段６０により箱Ｂの底部に対して粘着テープ６１を貼着する際に、箱Ｂの下フラップが側面に対して直角に折り込まれた状態となり（形状保持性が高く）、粘着テープ６１を正規に貼着することができる。
特に、高さが低い箱の場合、貼着テープの前後面に延在する長さ６１ｔは短いものとなる（図１４参照）ので、貼着テープ６１により下面フラップを確実に固定するために、上記搬送ベルト５２の下り勾配形態は有効である。
【００２６】
他方、前述のように、展開手段２０によって、図３又は図５のように展開されるものの、開口が直方形にならず、角度αで示すように、平行四辺形になりがちである。
【００２７】
そこで、既述のように、空気吸着パッド２１を有し、吸着した原箱１０の片側面を規制して立面状態を保持するための保持板２２を有する展開手段２０によって箱Ｂの側面を支持し、空気吸着パッド４２及び送り板４１を有する送り手段４０によって箱Ｂの後面を支持すると、箱Ｂを直角の直方形に保持することができ、望ましい形態である。
【００２８】
他方で、展開手段２０によって展開した箱は、側面及び後面は直角に規制できるとしても、平行四辺形になりがちであることにはかわりがない。
そこで、図５及び図６に示すように、前面については押さえアーム３３により後方に押さえることで、直方形に規制できるようになる。
【００２９】
さらに、平行四辺形になりがちであることに伴って、図９に示すように、ストッカー１側の第１側の下面外フラップｂ１の前縁が、箱Ｂの前面より前に突出しがちである。このまま、貼着手段６０に送って貼着テープを貼着すると、不整な封緘となってしまう。
【００３０】
そこで、ストッカー１側の第１側の下面外フラップｂ１の前縁に対向した位置に、上下に出没する規制手段７０を設けるのが望ましい。規制手段７０としては例えば図示形状の板を使用でき、上下に出没には、シリンダ、リニアアクチュエータによる上下運動機構、モータによる板の回転による起伏機構などを利用できる。
箱Ｂが送り手段４０により前方に送られ、下面外フラップｂ１の前縁が規制手段７０当接した後、その状態を維持したままごく短い時間、箱Ｂの送りを続けると、下フラップｂ１の前縁が後退し、あるいは箱全体が直角に矯正されるようになる。
矯正の終了時点で規制手段７０は下方に逃げるように没する。
このような規制手段７０によっても、不整な封緘を防止し、正規の貼着テープの封緘が可能となる。
なお、規制手段７０は、第２側にも設けることも不可能ではないもの、小箱の製函では設置のスペース確保が困難であり、また、ストッカー１側の第１側のみで十分であることを確認している。
【００３１】
箱の高さが低く、長さ及び幅が短い小箱（又は薄箱）では、展開状態で上下の開口縁が水平を保持し、かつ、箱Ｂが直方体を保持し、しかも箱Ｂが傾かないのが、後の封緘のために重要である。
【００３２】
そこで、図１に示すように、第１側に、ストッカー１から原箱１０が展開手段２０により搬送ライン側に移行した後に、図７に示すように、搬送ベルト手段５０の上方に退避していた第１側矯正手段８０が、ストッカー１の前方がわに移動して、上面の外フラップを立面状態に矯正するようにするのが望ましい。
第１側矯正手段８０の搬送方向の往復動にはシリンダ、モータ、リニアアクチュエータなどの運動機構を使用できる。
【００３３】
第１側矯正手段８０における上面の外フラップに対向する面は板状のものでよく、また、必要により、適宜数の空気吸着パッド８１を設けることができる。空気吸着パッド８１を使用すれば、第１側と第２側とで展開した状態で左右面を保持できるので、直角の筒箱の成形が容易となる。
【００３４】
また、ストッカー１から原箱１０が展開手段２０により搬送ライン側に移行した搬送方向の上流部の、箱の下部に、開口縁のレベルを水平に保持するための、下縁矯正手段９０を設けるのが望ましい。
特に、「フラップ分離型段ボール箱」の場合には、下フラップが折れ曲がり、鉛直方向に形崩れしやすいので、下フラップ全体を下方から水平に支承する下縁矯正手段９０が有効である。
この縁矯正手段９０としては板状のものなどとすることができる。
【００３５】
他方、下縁矯正手段９０に対向する上側には、例えば板状の下縁矯正手段９１を設けて、上フラップ全体を下方に押し当て水平に支承すると、箱Ｂの下開口縁が水平に保持でき、箱Ｂの直立性も担保できるようになり有効である。
【００３６】
次に、「フラップ連結型段ボール箱」について図１０〜図１３に基づき説明する。「フラップ分離型段ボール箱」の場合、４段階のフラップの折り込みが必要であったところ、「フラップ連結型段ボール箱」によれば、内フラップの折り込みと外フラップの２段階で折り込みが完了し、封箱及び開封作業が簡易となる利点がある。
図示した実施の形態の「フラップ連結型段ボール箱」は、例えば実用新案登録第３１３９５６７号の発展例である。
【００３７】
図１０〜図１３に示したフラップ連結型段ボール箱Ｂ１は、内フラップ２と外フラップ３とが一体となり、その折り線部に粗い間隔でミシン様の切り込み部ｃが形成されているものである。
封緘に際しては、図１０の接合代部ｄを接合して角筒状のものを平坦化した状態で、ストッカー１に設置される。
同様にして、展開及び下面の封緘が行われる。
【００３８】
フラップ連結型段ボール箱Ｂ１の構造は、要すれば、箱高さの上方面（天面）及び下方面（底面）において、前後の内フラップ相当部と左右の外フラップ相当部とが一体となったものである。
図示例のほか、箱高さの上方面及び下方面の一方において、前後の内フラップ相当部と左右の外フラップ相当部とが一体となったものであってもよい。
この場合、箱高さの上方面において、前後の内フラップ相当部と左右の外フラップ相当部とが一体となったものであるのが、後に収納物を投入し、折り込みを行う作業の流れの観点から、より望ましい。
【００３９】
フラップ連結型段ボール箱Ｂ１を扱う場合には、箱高さの上方面を展開手段２０が吸引して保持する形態が望ましい。
【００４０】
フラップ連結型段ボール箱Ｂ１の場合には、フラップが個別に偏位することがないので、展開過程で傾くことなく水平に保持され易い。
したがって、既述の各種矯正手段、各種規制手段を使用しなくとも製函が可能である。
しかし、通常は、フラップ連結型段ボール箱専用の製函機とするのではなく、フラップ分離型段ボール箱の製函をも行うようにもしたいのがユーザーの要望であるから、各種矯正手段、各種規制手段を備えるのが望ましい。
【００４１】
本発明の製函装置は、小サイズ段ボール箱の製函に適している。
例えば、小サイズ段ボール箱としては、図１４に示すサイズに関し、次の範囲のものが適している。
Ｈ：２０〜８０mm（より望ましくは２０〜５０mm、特に２０〜４０mm）
Ｌ：１４０〜３００mm（より望ましくは１８０〜２５０mm）
Ｗ：７０〜２１０mm（より望ましくは１００〜１８０mm）
【００４２】
段ボール箱は荷物の運搬に使用される。封緘後に荷物先が特定されることが必要である。
このために、例えば電子タグを利用できる。
【００４３】
周知のように、電子タグ（ＲＦタグ、ＩＣタグ、ＲＦラベル等ともいわれる）は、情報の記憶及び読み出しを近距離無線通信により非接触で行うためにＩＣチップとこれに接続されたアンテナとを有するものである。また、電子タグは対象物に貼付するために裏面が粘着面となっているものや、粘着面がなく、紐等により商品に付加されるものが一般的である。ＲＦＩＤ（Radio frequency identification）は、このような電子タグを利用し、電子タグが付される荷物（対象物）に関する情報の書き込み、及び電子タグに記憶された情報の読み取りを、無線通信により行う自動認識システムである。
【００４４】
電子タグは、様々な検討及び提案がなされており、実現しているものもあれば、実現していないものもある。例えば、電子タグは、バーコード等の光学的に読取可能なタグに代わるものとして商品の個品管理への応用が期待されている。我が国では、特定の小売業での電子タグの利用は知られているが、多くの小売業では利用されていないのが現状である。この主な原因は、電子タグの単価が高いことにあるが、読み取り精度の問題（商品の内容物に含まれる水や金属製商品容器等による電波の遮断）や、個別商品に対する電子タグの付属技術の未完成等も、普及の足かせになっている。
【００４５】
しかしながら、電子タグの積極的利用は、商品管理革命の潜在力を有している。
電子タグの付属対象である製函物を搬送する搬送ラインと、この搬送ライン上の製函物に、識別情報が書き込まれた電子タグを付属させるタグ付属部と、前記搬送ラインにおける前記タグ付属部よりも下流側で、前記搬送ライン上の前記製函物に取り付けられた電子タグから、電子タグに書き込まれた識別情報を読み取る読取装置を設けて、後の物流に利用するのが望ましい。
【００４６】
一連の段ボール製函処理に際しては、図１５に示すように、製函が終了した後に、製函された段ボール箱Ｂ内に収納物を収納する工程１１、
収納物を収納した段ボール箱の上面を粘着テープで封止する工程１２、
段ボール箱に宛名ラベルを貼着する工程１３、
前記宛名ラベルの情報を読み取る読み取り工程１４、
をこの順で有する段ボール製函処理方法を採用できる。
読み取り工程１４を経たものは分配工程１５後に配送に供される。
【００４７】
前記宛名ラベルには電子タグが付属され、前記読み取り工程１４は前記電子タグに書き込まれた情報を読み取るものであることができる。
【符号の説明】
【００４８】
１…ストッカー、１０…原箱、２０…展開手段、３０…折り込み手段、４０…送り手段、５０…貼着手段、６０…貼着手段、７０…  ８０…第１側矯正手段、９０…下縁矯正手段、Ｂ…箱、Ｘ…搬送方向、Ｙ…重ね方向。
【手続補正２】
【補正対象書類名】特許請求の範囲
【補正対象項目名】全文
【補正方法】変更
【補正の内容】
【特許請求の範囲】
【請求項１】
上下が開口となる段ボール箱における折り畳み原箱を、上下に向けかつ複数枚重ねた状態で保持するストッカーと、
前記原箱の重ね方向と実質的に直交する搬送方向の上流側に設けられ、前記原箱の片側面を、前記ストッカー側の第１側から、離間する第２側へ移動させて上下に開口が形成されるように展開する展開手段と、
搬送方向の上流部において展開された開口箱の下部を折り込む折り込み手段と、
搬送方向の上流側から下流側に箱を送り込む送り手段と、
前記送り手段により送られた開口箱の両側面をそれぞれ押さえながら下流側に搬送する搬送ベルト手段と、
前記搬送ベルト手段による搬送領域に箱の底部に対して粘着テープを貼着する貼着手段と、
を備えたことを特徴とする段ボール製函装置。
【請求項２】
前記展開手段は、前記原箱の片側面を吸着して第１側と第２側との間で往復動する空気吸着パッドを有する請求項１記載の段ボール製函装置。
【請求項３】
上下が開口となる段ボール箱における折り畳み原箱を、上下に向けかつ複数枚重ねた状態で保持するストッカーと、
前記原箱の重ね方向と実質的に直交する搬送方向の上流側に設けられ、前記原箱の片側面を、前記ストッカー側の第１側から、離間する第２側へ移動させて上下に開口が形成されるように展開する展開手段と、
搬送方向の上流部において展開された開口箱の下部を折り込む折り込み手段と、
搬送方向の上流側から下流側に箱を送り込む送り手段と、
前記送り手段により送られた開口箱の両側面をそれぞれ押さえながら下流側に搬送する搬送ベルト手段と、
前記搬送ベルト手段による搬送領域に箱の底部に対して粘着テープを貼着する貼着手段と、
を備え、
前記原箱は、箱高さの上方面又は下方面の少なくとも一方において、前後の内フラップ相当部と左右の外フラップ相当部とが一体となったものであり、
前記展開手段は、前記原箱の外フラップ相当部を、前記片側面として吸着して第１側と第２側との間で往復動する空気吸着パッドを有している、
ことを特徴とする段ボール製函装置。
【請求項４】
前記搬送ベルト手段の搬送ベルトは、搬送方向下流に向かって下り勾配で設けられている請求項１又は３記載の段ボール製函装置。
【請求項５】
前記送り手段は搬送方向と実質的に直交する板を有する請求項１又は３記載の段ボール製函装置。
【請求項６】
前記送り手段は搬送方向と実質的に直交する板及び空気吸着パッドを有する請求項１又は３記載の段ボール製函装置。
【請求項７】
上下が開口となる段ボール箱における折り畳み原箱を、上下に向けかつ複数枚重ねた状態でストッカーにより保持する工程、
前記原箱の重ね方向と実質的に直交する搬送方向の上流側に設けられ、前記原箱の片側面を、前記ストッカー側の第１側から、離間する第２側へ移動させて上下に開口が形成されるように展開手段により展開する工程、
搬送方向の上流部において展開された開口箱の下部を折り込み手段により折り込む工程、
搬送方向の上流側から下流側に箱を送り手段により送り込む工程、
前記送り手段により送られた開口箱の両側面をそれぞれ押さえながら下流側に搬送ベルト手段により搬送する工程、
前記搬送ベルト手段による搬送領域に箱の底部に対して粘着テープを貼着手段により貼着する工程、
を有することを特徴とする段ボール製函方法。
【請求項８】
上下が開口となる段ボール箱における折り畳み原箱を、上下に向けかつ複数枚重ねた状態でストッカーにより保持する工程、
前記原箱の重ね方向と実質的に直交する搬送方向の上流側に設けられ、前記原箱の片側面を、前記ストッカー側の第１側から、離間する第２側へ移動させて上下に開口が形成されるように展開手段により展開する工程、
搬送方向の上流部において展開された開口箱の下部を折り込み手段により折り込む工程、
搬送方向の上流側から下流側に箱を送り手段により送り込む工程、
前記送り手段により送られた開口箱の両側面をそれぞれ押さえながら下流側に搬送ベルト手段により搬送する工程、
前記搬送ベルト手段による搬送領域に箱の底部に対して粘着テープを貼着手段により貼着する工程、
製函された段ボール箱内に収納物を収納する工程、
収納物を収納した段ボール箱の上面を粘着テープで封止する工程、
段ボール箱に宛名ラベルを貼着する工程、
前記宛名ラベルの情報を読み取る読み取り工程、
をこの順で有することを特徴とする段ボール製函処理方法。
【請求項９】
前記宛名ラベルには電子タグが付属され、前記読み取り工程は前記電子タグに書き込まれた情報を読み取るものである請求項８記載の段ボール製函処理方法。
【手続補正３】
【補正対象書類名】図面
【補正対象項目名】図１
【補正方法】変更
【補正の内容】
【図１】
2021054527.tif 000001
【手続補正４】
【補正対象書類名】図面
【補正対象項目名】図２
【補正方法】変更
【補正の内容】
【図２】
2021054527.tif 000002
【手続補正５】
【補正対象書類名】図面
【補正対象項目名】図３
【補正方法】変更
【補正の内容】
【図３】
2021054527.tif 000003
【手続補正６】
【補正対象書類名】図面
【補正対象項目名】図５
【補正方法】変更
【補正の内容】
【図５】
2021054527.tif 000004